(57)【要約】【課題】より短時間で全周波数ブロックのチャネル品質の送信を実現するチャネル品質伝送方法を得ること。【解決手段】本発明にかかるチャネル品質伝送方法は、マルチキャリア伝送方式を用いたシステムにおける無線リソース割り当てのためのチャネル品質伝送方法であって、たとえば、チャネル品質測定部（２１）がデータ送信側から送られてくる基準信号に基づいて周波数ブロック単位にチャネル品質を測定し、チャネル品質情報削減部（２２）が同一のチャネル品質をまとめることによりデータ送信側に送信すべきチャネル品質情報を削減し、チャネル品質送信部（２３）が上記で削減されたチャネル品質情報を所定の信号フォーマットで送信する。【選択図】        図１
2007166118.tif 000002
【特許請求の範囲】
【請求項１】
マルチキャリア伝送方式を用いたシステムにおける無線リソース割り当てのためのチャネル品質伝送方法であって、
データ送信側から送られてくる基準信号に基づいて、複数のサブキャリアで構成された周波数ブロック単位にチャネル品質を測定するチャネル品質測定ステップと、
前記チャネル品質測定ステップにて測定されたチャネル品質について、同一のチャネル品質をまとめることにより、データ送信側に送信すべきチャネル品質に関する情報（チャネル品質情報）を削減するチャネル品質情報削減ステップと、
前記チャネル品質情報削減ステップにて削減されたチャネル品質情報を所定の信号フォーマットで送信するチャネル品質送信ステップと、
を含むことを特徴とするチャネル品質伝送方法。
【請求項２】
前記チャネル品質情報削減ステップでは、前記チャネル品質情報を、基準となる周波数ブロックからどれだけ離れているかを表すオフセット、チャネル品質の値が同一の周波数ブロックの数、およびチャネル品質の値、で構成することを特徴とする請求項１に記載のチャネル品質伝送方法。
【請求項３】
前記チャネル品質情報削減ステップでは、前記チャネル品質情報を、チャネル品質の値が同一の周波数ブロックの数、およびチャネル品質の値、で構成することを特徴とする請求項１に記載のチャネル品質伝送方法。
【請求項４】
前記チャネル品質情報削減ステップでは、前記チャネル品質情報を、基準となる周波数ブロックからどれだけ離れているかを表すオフセット、およびチャネル品質の値、で構成することを特徴とする請求項１に記載のチャネル品質伝送方法。
【請求項５】
前記システムがマルチアンテナ伝送を採用する場合、
前記チャネル品質測定ステップでは、アンテナ毎に、周波数ブロック単位のチャネル品質を測定し、
前記チャネル品質情報削減ステップでは、アンテナ間のチャネル品質が同等であることを利用して、アンテナ毎に測定された同一のチャネル品質を一つにまとめることにより、データ送信側に送信すべきチャネル品質情報を削減することを特徴とする請求項１〜４のいずれか一つに記載のチャネル品質伝送方法。
【請求項６】
前記チャネル品質測定ステップでは、アンテナ間でチャネル品質のレベル差が存在する場合、アンテナ間でチャネル品質のレベルが同等になるようにレベル補正を行うことを特徴とする請求項５に記載のチャネル品質伝送方法。
【請求項７】
さらに、前記チャネル品質情報削減ステップでは、フレームタイミングを利用してチャネル品質の付随情報を削減することを特徴とする請求項１〜６のいずれか一つに記載のチャネル品質伝送方法。
【請求項８】
さらに、チャネル品質として、前回のチャネル品質との差分情報を送信することを特徴とする請求項１〜７のいずれか一つに記載のチャネル品質伝送方法。
【請求項９】
マルチキャリア伝送方式を採用する移動体通信システムに属し、チャネル品質を基地局へフィードバックする端末であって、
前記基地局から送られてくる基準信号に基づいて、複数のサブキャリアで構成された周波数ブロック単位にチャネル品質を測定するチャネル品質測定手段と、
前記チャネル品質測定手段にて測定されたチャネル品質について、同一のチャネル品質をまとめることにより、前記基地局に送信すべきチャネル品質に関する情報（チャネル品質情報）を削減するチャネル品質情報削減手段と、
前記チャネル品質情報削減手段にて削減されたチャネル品質情報を所定の信号フォーマットで前記基地局に対して送信するチャネル品質送信手段と、
を備えることを特徴とする端末。
【請求項１０】
前記移動体通信システムがマルチアンテナ伝送を採用する場合、
前記チャネル品質測定手段は、アンテナ毎に、周波数ブロック単位のチャネル品質を測定し、
前記チャネル品質情報削減手段は、アンテナ間のチャネル品質が同等であることを利用して、アンテナ毎に測定された同一のチャネル品質を一つにまとめることにより、前記基地局に送信すべきチャネル品質情報を削減することを特徴とする請求項９に記載の端末。
【請求項１１】
前記チャネル品質測定手段は、アンテナ間でチャネル品質のレベル差が存在する場合、アンテナ間でチャネル品質のレベルが同等になるようにレベル補正を行うことを特徴とする請求項１０に記載の端末。
【発明の詳細な説明】
【技術分野】
【０００１】
本発明は、移動体通信における無線リソース割り当てのためのチャネル品質伝送方法に関するものであり、特に、マルチキャリア伝送方式を用いたシステムにおいて、チャネル品質情報を端末から基地局へフィードバックする場合のチャネル品質伝送方法に関するものである。
【背景技術】
【０００２】
直交波周波数分割多重（ＯＦＤＭ：Orthogonal  Frequency  Division  Multiplexing）等、マルチキャリア伝送方式を用いたシステムにおいては、ユーザ間で周波数選択性フェージング特性が異なることを利用したリソース制御を行うために、周波数ブロック単位のチャネル品質情報を、端末から基地局へフィードバックしている（第１の従来技術）。
【０００３】
また、たとえば、下記非特許文献１に記載の技術（第２の従来技術）おいては、予めスケジューリングする端末をグルーピング化し、グルーピングされた周波数ブロック単位のチャネル品質の平均値をフィードバックすることにより、上記第１の従来技術よりもフィードバック数を削減している。また、端末がスケジューリングされる周波数ブロックの候補を予め決めておくことにより、チャネル品質に付随する制御情報を不要としている。
【０００４】
【非特許文献１】3GPP  TSG  RAN1ドキュメントR1-050707,  2005-08
【発明の開示】
【発明が解決しようとする課題】
【０００５】
上記第１の従来技術においては、基地局がスケジューリングを開始する前に、端末が、必ず周波数ブロック単位の全チャネル品質を基地局に対して送信しておく必要があるが、上記の方法では、全てのチャネル品質（周波数ブロック分のチャネル品質）を伝送するために多くの時間が必要となる、という問題点があった。たとえば、周波数ブロック数が３０であり、かつ１ＴＴＩ（時間単位、たとえば0.5ms）あたりに伝送するチャネル品質数が１である場合、周波数ブロック分のチャネル品質の伝送に、合計３０ＴＴＩ（15ms）もの時間が必要となり、そのため、チャネル品質の変化量が大きくなり、正しいリソース制御が行えない場合がある。
【０００６】
一方、上記第２の従来技術においては、前記第１の従来技術よりもフィードバック数を削減できるが、端末がスケジューリングされる周波数ブロックが予め制限されているため、正しいリソース制御が行えない場合がある、という問題があった。すなわち、最適な帯域が他に存在する場合であっても、予めグルーピング化が行われているため、他の帯域に割り当てることができない。
【０００７】
本発明は、上記に鑑みてなされたものであって、より短時間で全周波数ブロックのチャネル品質の送信を実現するチャネル品質伝送方法を得ることを目的とする。
【課題を解決するための手段】
【０００８】
上述した課題を解決し、目的を達成するために、本発明にかかるチャネル品質伝送方法は、マルチキャリア伝送方式を用いたシステムにおける無線リソース割り当てのためのチャネル品質伝送方法であって、データ送信側から送られてくる基準信号に基づいて、複数のサブキャリアで構成された周波数ブロック単位にチャネル品質を測定するチャネル品質測定ステップと、前記チャネル品質測定ステップにて測定されたチャネル品質について、同一のチャネル品質をまとめることにより、データ送信側に送信すべきチャネル品質に関する情報（チャネル品質情報）を削減するチャネル品質情報削減ステップと、前記チャネル品質情報削減ステップにて削減されたチャネル品質情報を所定の信号フォーマットで送信するチャネル品質送信ステップと、を含むことを特徴とする。
【発明の効果】
【０００９】
この発明によれば、たとえば、端末がチャネル品質を圧縮（削減）して送信することにより、送信遅延時間によるチャネル品質の変動を小さくできるので、基地局にて最適なスケジューリング（リソース割り当て）を実現できる、という効果を奏する。
【発明を実施するための最良の形態】
【００１０】
以下に、本発明にかかるチャネル品質伝送方法の実施の形態を図面に基づいて詳細に説明する。なお、この実施の形態によりこの発明が限定されるものではない。
【００１１】
実施の形態１．
図１は、本発明にかかるチャネル品質伝送方法を実現するための基地局および端末の構成例を示す図であり、基地局１はセルラ方式移動体通信における無線通信用基地局であり、端末２は移動体通信用端末である。また、基地局１は、ＯＦＤＭ信号送信部１１とチャネル品質受信部１２とスケジューラ１３とを備え、端末２は、チャネル品質測定部２１とチャネル品質情報削減部２２とチャネル品質送信部２３とを備えている。
【００１２】
図１において、基地局１では、ＯＦＤＭ信号送信部１１が、ＯＦＤＭ（Orthogonal  Frequency  Division  Multiplexing）方式で使用される信号（ＯＦＤＭ信号）を送信し、チャネル品質受信部１２が、システムを構成する各端末から送られてくるチャネル品質報告（後述するＣＱＩ関連情報）を受信し、スケジューラ１３が、チャネル品質報告から抽出した各チャネル品質情報に基づいて下りＯＦＤＭ信号の無線リソース制御を行う。
【００１３】
また、端末２では、チャネル品質測定部２１が、受信したＯＦＤＭ信号に含まれる基準信号などを用いてチャネル品質を測定し、チャネル品質情報削減部２２が、所定の規則に従ってチャネル品質情報を削減し、チャネル品質送信部２３が、削減されたチャネル品質を送信する。
【００１４】
つづいて、上記基地局１および端末２の詳細動作を説明する。まず、基地局１内のＯＦＤＭ信号送信部１１が、基準信号を含むＯＦＤＭ信号を送信する。このＯＦＤＭ信号は、たとえば、図２に示すようなＯＦＤＭフォーマットを有し、基準信号はＰ（パイロット信号）で表されている。図２では、たとえば、周波数帯域１８ＭＨｚに３０の周波数ブロックが伝送され、そのときの周波数ブロック幅が６００ｋＨｚとなっている。また、周波数ブロックは、さらに１５ｋＨｚのサブキャリア４０個から構成されている。また、このサブキャリアは、ＯＦＤＭ信号を定義するパラメータであり、各サブキャリアに対してＴＴＩ（Transmit  Time  Interval）が定義され、このＴＴＩ単位でＯＦＤＭシンボルが定義される。ここでは、ＴＴＩ長が０．５ｍｓ、ＯＦＤＭシンボル数が７で構成される。
【００１５】
また、上記パイロット信号は先頭のサブキャリアの奇数番目（第１、３、５、７）のＯＦＤＭシンボルに配置される。パイロット信号は予め決められたパターンで送信され、受信側において、チャネル品質推定の他、同期保持、位相振幅基準等を行うために送信される。また、パイロット信号以外の場所には、制御信号、ユーザデータ等が配置される。
【００１６】
つぎに、無線回線を介して下りＯＦＤＭ信号を受信した端末２は、下りＯＦＤＭ信号をチャネル品質測定部２１に供給する。チャネル品質測定部２１では、下りＯＦＤＭ信号に含まれるパイロット信号を用いて周波数ブロック毎のチャネル品質を測定する。チャネル品質は、いわゆるＳＮ比（Signal  to  Noise  Ratio：信号対雑音比）やＣＮ比（Carrier  to  Noise  Ratio：搬送波対雑音比）等が用いられる。そして、上記測定結果は、ＣＱＩ（Channel  Quality  Indicator：チャネル品質指標）に変換される。
【００１７】
図３は、ＣＱＩテーブルの一例を示す図である。図３において、ＴＢサイズは、トランスポートブロック（ＴＢ）サイズとして、基地局から一度に伝送されるデータ量を表している。また、変調方式としては、ＱＰＳＫ（Quaternary  Phase  Shift  Keying），１６ＱＡＭ（Quadrature  Amplitude  Modulation），６４ＱＡＭが選択できるようになっている。また、符号化レートは、ＴＢサイズと（複数）周波数ブロックの比を表し、ターボ符号やレートマッチングを用いて実現する。このようなＣＱＩテーブルは、端末が受信できる最大のＣＱＩを選択するために用いられ、たとえば、ＳＮ比が低い場合にはその比率に応じて小さな値のＣＱＩが、ＳＮ比が高い場合にはその比率に応じて大きな値のＣＱＩが、選択される。なお、ＣＱＩは、たとえば、０から３１で表される５ビットの信号とする。
【００１８】
つぎに、チャネル品質情報削減部２２の処理を説明する。図４は、チャネル品質測定部２１およびチャネル品質情報削減部２２の処理を示す図である。なお、この処理はあくまでも一例であり、端末２の伝搬環境（速度，地形，周辺環境）によって異なる。図４の上側は、チャネル品質測定の動作が示されており、横軸は周波数ブロックを表し、縦軸はＣＱＩを表している。周波数ブロック＃１から＃５まではＣＱＩ値が３０であり、周波数ブロック＃６から＃１１まではＣＱＩ値が２０であり、周波数ブロック＃１２から１５＃まではＣＱＩ値が１０であり、周波数ブロック＃１６から＃２０まではＣＱＩ値が５であり、周波数ブロック＃２１から＃２６まではＣＱＩ値が１５であり、周波数ブロック＃２７から＃３０まではＣＱＩ値が２５である。周波数ブロック毎にＣＱＩが異なるのは、無線環境におけるマルチパスフェージング（周波数選択性フェージング）の影響によるものであり、よく知られている。また、隣接する周波数ブロックのＣＱＩが同一または似たような値となっているが、これも無線環境下ではよく知られており、遅延分散，コヒーレント帯域幅というパラメータにより、都市型モデル，ルーラルモデル等でモデル化されている。
【００１９】
たとえば、チャネル品質情報削減部２２では、同一のＣＱＩ値を、オフセットおよび数を用いて情報圧縮する。この「オフセット」は、周波数ブロック＃１からどれだけ離れているかを表すパラメータであり、周波数ブロック＃１は０、周波数ブロック＃２は１、以下周波数ブロック３０は２９となる。また「数」は、いくつの周波数ブロックが同じ値であるかを表しており、１つであれば１、２つであれば２、以下３０の周波数ブロックが全て同じであれば３０となる。従って、図４下側に示すように、周波数ブロック＃１〜＃５は｛０，５，３０｝、周波数ブロック＃６〜＃１１は｛５，６，２０｝、周波数ブロック＃１２〜＃１５は｛１１，４，１０｝、周波数ブロック＃１６〜＃２０は｛１５，５，５｝、周波数ブロック＃２１〜＃２６は｛２０，６，１５｝、周波数ブロック＃２７〜＃３０は｛２６，４，２５｝と表現でき、チャネル品質情報削減部２２は、情報圧縮後の出力信号をチャネル品質送信部２３に供給する。
【００２０】
つぎに、チャネル品質送信部２３の処理を説明する。図５は、チャネル品質送信部２３の処理を示す図である。図１に示す上りＦＤＭＡ（Frequency  Division  Multiple  Access：周波数分割多元接続）信号は、下りリンクの周波数ブロック幅６００ｋＨｚに対応する。従ってＴＴＩ（０．５ｍｓ）は３００シンボルとなり、ＱＰＳＫ変調の場合は６００ビットから構成される。ここでは、ＰＩＬＯＴ，ＣＱＩ，Ｄａｔａ（他の制御情報を含む）が個別チャネルで伝送される。また、ここで用いられているチャネルは、一例としてデータを主に送信するチャネルであり、たとえば、ＰＩＬＯＴが３０シンボル（６０ビット）、ＣＱＩが７シンボル（１４ビット）、Ｄａｔａ（他の制御情報を含む）が２６３シンボル（５２６ビット）となる。
【００２１】
上記ＣＱＩは、ＣＱＩ関連情報として、オフセット（Offset）が５ビット、数（Number）が４ビット、値（Value）が５ビットで構成される。このように構成することにより、たとえば、全周波数ブロックのＣＱＩを、図６に示すようにわずか６ＴＴＩで伝送することができる。具体的には、最初のＴＴＩで周波数ブロック＃１〜＃５のＣＱＩ関連情報を、次のＴＴＩで周波数ブロック＃６〜＃１１のＣＱＩ関連情報を、以下、周波数ブロック＃１２〜＃１５のＣＱＩ関連情報，周波数ブロック＃１６〜＃２０のＣＱＩ関連情報，周波数ブロック＃２１〜＃２６のＣＱＩ関連情報，周波数ブロック＃２７〜＃３０のＣＱＩ関連情報、を順に送信することにより、６ＴＴＩで全周波数ブロックのＣＱＩを伝送する。このように、チャネル品質送信部２３では、無線回線を介して、上記ＣＱＩ関連情報を含んだ上りＦＤＭＡ信号を基地局１へ送信する。
【００２２】
一方、基地局１では、受信した上りＦＤＭＡ信号を、端末毎に用意されたチャネル品質受信部１２へ供給する。チャネル品質受信部１２では、特定の端末からのＣＱＩ関連情報を受信し、周波数ブロック毎のＣＱＩへと分解する。そして、分解した周波数ブロック毎のＣＱＩをスケジューラ１３へ供給する。
【００２３】
つぎに、スケジューラ１３では、チャネル品質受信部１２から受け取った周波数ブロック毎のＣＱＩに基づいて、端末間の優先順位、ＱｏＳ（Quality  of  Service）、「UE  Capability」、初送／再送等、の判断基準により、下りのＯＦＤＭ信号の無線リソースを割り当てる。そして、無線リソース割り当て情報がＯＦＤＭ信号送信部１１へ供給され、ＯＦＤＭ信号送信部１１では、受け取った無線リソース割り当て情報に基づいて、各端末への送信データを、周波数ブロック内の所定のデータ位置に割り当てる。以降、各端末にはスケジュールされたデータが伝送されることとなる。
【００２４】
以上のように、本実施の形態では、従来と比較して短時間で全ての周波数ブロックのＣＱＩを送信完了できるように、端末側でＣＱＩを圧縮してＣＱＩ関連情報として送信することとした。これにより、送信遅延時間によるチャネル品質の変動を小さくできるので、正しいスケジューリングを行うことができ、ひいては下りスループットを向上させることが可能となる。
【００２５】
また、本実施の形態においては、フォーマットを変更することなく、様々のパターンのＣＱＩ関連情報を伝送することができる。たとえば、図７は、チャネル品質測定部２１およびチャネル品質情報削減部２２の動作を示す図であり、＃１〜＃３０までの全周波数ブロックのＣＱＩ値が２０である場合を示している。この場合、ＣＱＩ関連情報を｛０，３０，２０｝とすることにより、チャネル品質送信部２３のフォーマットを変更せずに、全周波数ブロック分のＣＱＩを伝送することができる。ここでは、ＴＴＩ毎に全周波数ブロックのＣＱＩを伝送できることとなる。
【００２６】
なお、本実施の形態では、個別チャネルを用いてＣＱＩを伝送することとしたが、共通チャネルを用いてもかまわない。図８は、チャネル品質送信部２３の動作を示す図である。図８に示すように、複数ユーザが送ることができる共通チャネルにおいて、たとえば、ユーザ＃１の場合には、ユーザ＃１用に用意されたユーザ＃１制御情報のＣＱＩにＣＱＩ関連情報を載せて伝送する。
【００２７】
また、本実施の形態では、１ＴＴＩに１つのＣＱＩ関連情報を伝送することとしたが、１ＴＴＩに複数のＣＱＩ関連情報を伝送してもかまわない。この場合は、さらに全周波数ブロック分のＣＱＩ伝送が高速化できる。また、上記本実施の形態において使用した数値は、一例であり、本実施の形態で示した構成および方法は、上記数値以外でも実現できる。
【００２８】
実施の形態２．
つづいて、実施の形態２のチャネル品質伝送方法について説明する。実施の形態２においては、ＣＱＩ関連情報として、同一ＣＱＩの数，ＣＱＩ値だけを伝送する。なお、実施の形態２のチャネル品質伝送方法を実現する基地局および端末の構成は、前述した実施の形態１の図１と同様である。ここでは、実施の形態１と異なる処理について説明する。
【００２９】
図９は、実施の形態２のチャネル品質測定部２１およびチャネル品質情報削減部２２の処理を示す図である。なお、図９の上側は、図４の上側と同一である。また、本実施の形態においても、前述した実施の形態１と同様、隣接する周波数ブロックのＣＱＩが同一または似たような値となる、という事実に基づいて、チャネル品質情報の数を削減している。
【００３０】
たとえば、チャネル品質情報削減部２２では、同一のＣＱＩ値を、同一ＣＱＩの数を用いて情報圧縮する。すなわち、図９下側に示すように、周波数ブロック＃１〜＃５は｛５，３０｝、周波数ブロック＃６〜＃１１は｛６，２０｝、周波数ブロック＃１２〜＃１５は｛４，１０｝、周波数ブロック＃１６〜＃２０は｛５，５｝、周波数ブロック＃２１〜＃２６は｛６，１５｝、周波数ブロック＃２７〜＃３０は｛４，２５｝と表現でき、チャネル品質情報削減部２２は、情報圧縮後の出力信号をチャネル品質送信部２３に供給する。
【００３１】
つぎに、実施の形態２のチャネル品質送信部２３の処理を説明する。図１０は、実施の形態２のチャネル品質送信部２３の処理を示す図である。なお、図１に示す上りＦＤＭＡ信号は、前述同様、下りリンクの周波数ブロック幅６００ｋＨｚに対応し、ＴＴＩ（０．５ｍｓ）は３００シンボルとなり、ＱＰＳＫ変調の場合は６００ビットから構成される。また、ＰＩＬＯＴ，ＣＱＩ，Ｄａｔａ（他の制御情報を含む）が個別チャネルで伝送され、たとえば、ＰＩＬＯＴが３０シンボル（６０ビット）、ＣＱＩが５シンボル（１０ビット）、Ｄａｔａ（他の制御情報を含む）が２６５シンボル（５３０ビット）となる。
【００３２】
そして、上記ＣＱＩは、ＣＱＩ関連情報として、同一ＣＱＩ数（Number）が４ビット、ＣＱＩ値（Value）が５ビットで構成される。このように構成することにより、たとえば、全周波数ブロックのＣＱＩを、図１１に示すようにわずか６ＴＴＩで伝送することができる。具体的には、最初のＴＴＩで周波数ブロック＃１〜＃５のＣＱＩ関連情報を、次のＴＴＩで周波数ブロック＃６〜＃１１のＣＱＩ関連情報を、以下、周波数ブロック＃１２〜＃１５のＣＱＩ関連情報，周波数ブロック＃１６〜＃２０のＣＱＩ関連情報，周波数ブロック＃２１〜＃２６のＣＱＩ関連情報，周波数ブロック＃２７〜＃３０のＣＱＩ関連情報、を順に送信することにより、６ＴＴＩで全周波数ブロックのＣＱＩを伝送する。このように、チャネル品質送信部２３では、無線回線を介して、上記ＣＱＩ関連情報を含んだ上りＦＤＭＡ信号を基地局１へ送信する。
【００３３】
一方、基地局１では、受信した上りＦＤＭＡ信号を、端末毎に用意されたチャネル品質受信部１２へ供給する。チャネル品質受信部１２では、特定の端末からのＣＱＩ関連情報（同一ＣＱＩ数，ＣＱＩ値）を受信し、周波数ブロック毎のＣＱＩへと分解する。そして、分解した周波数ブロック毎のＣＱＩをスケジューラ１３へ供給する。以降、スケジューラ１３およびＯＦＤＭ信号送信部１１が、実施の形態１と同様に動作し、各端末への送信データを、周波数ブロック内の所定のデータ位置に割り当てて送信する。
【００３４】
以上のように、本実施の形態では、従来と比較して短時間で全ての周波数ブロックのＣＱＩを送信完了できるように、端末側でＣＱＩを圧縮してＣＱＩ関連情報（同一ＣＱＩ数，ＣＱＩ値）として送信することとした。これにより、送信遅延時間によるチャネル品質の変動を小さくできるので、正しいスケジューリングを行うことができ、ひいては下りスループットを向上させることが可能となる。ただし、実施の形態１と比較すると、ＣＱＩのオフセットの基準を通知していないので、たとえば、第１回目の送信についてはオフセットが０であることを決めておく必要がある。
【００３５】
また、本実施の形態においても、実施の形態１と同様に、フォーマットを変更することなく、様々のパターンのＣＱＩ関連情報を伝送することができる。たとえば、図１２は、チャネル品質測定部２１およびチャネル品質情報削減部２２の動作を示す図であり、＃１〜＃３０までの全周波数ブロックのＣＱＩ値が２０である場合を示している。この場合、ＣＱＩ関連情報を｛３０，２０｝とすることにより、チャネル品質送信部２３のフォーマットを変更せずに、全周波数ブロック分のＣＱＩを伝送することができる。
【００３６】
実施の形態３．
つづいて、実施の形態３のチャネル品質伝送方法について説明する。実施の形態３においては、ＣＱＩ関連情報として、ＣＱＩのオフセット，ＣＱＩ値だけを伝送する。なお、実施の形態３のチャネル品質伝送方法を実現する基地局および端末の構成は、前述した実施の形態１の図１と同様である。ここでは、実施の形態１および２と異なる処理について説明する。
【００３７】
図１３は、実施の形態３のチャネル品質測定部２１およびチャネル品質情報削減部２２の処理を示す図である。なお、図１３の上側は、図４および図９の上側と同一である。また、本実施の形態においても、前述した実施の形態１および２と同様、隣接する周波数ブロックのＣＱＩが同一または似たような値となる、という事実に基づいて、チャネル品質情報の数を削減している。
【００３８】
たとえば、チャネル品質情報削減部２２では、同一のＣＱＩ値を、ＣＱＩのオフセットの基準を用いて情報圧縮する。すなわち、図１３下側に示すように、周波数ブロック＃１〜＃５は｛０，３０｝、周波数ブロック＃６〜＃１１は｛５，２０｝、周波数ブロック＃１２〜＃１５は｛１１，１０｝、周波数ブロック＃１６〜＃２０は｛１５，５｝、周波数ブロック＃２１〜＃２６は｛２０，１５｝、周波数ブロック＃２７〜＃３０は｛２６，２５｝と表現でき、チャネル品質情報削減部２２は、情報圧縮後の出力信号をチャネル品質送信部２３に供給する。
【００３９】
つぎに、実施の形態３のチャネル品質送信部２３の処理を説明する。図１４は、実施の形態３のチャネル品質送信部２３の処理を示す図である。なお、図１に示す上りＦＤＭＡ信号は、前述同様、下りリンクの周波数ブロック幅６００ｋＨｚに対応し、ＴＴＩ（０．５ｍｓ）は３００シンボルとなり、ＱＰＳＫ変調の場合は６００ビットから構成される。また、ＰＩＬＯＴ，ＣＱＩ，Ｄａｔａ（他の制御情報を含む）が個別チャネルで伝送され、たとえば、ＰＩＬＯＴが３０シンボル（６０ビット）、ＣＱＩが５シンボル（１０ビット）、Ｄａｔａ（他の制御情報を含む）が２６５シンボル（５３０ビット）となる。
【００４０】
そして、上記ＣＱＩは、ＣＱＩ関連情報として、ＣＱＩのオフセット（Offset）が５ビット、ＣＱＩ値（Value）が５ビットで構成される。このように構成することにより、たとえば、全周波数ブロックのＣＱＩを、図１５に示すようにわずか６ＴＴＩで伝送することができる。具体的には、最初のＴＴＩで周波数ブロック＃１〜＃５のＣＱＩ関連情報を、次のＴＴＩで周波数ブロック＃６〜＃１１のＣＱＩ関連情報を、以下、周波数ブロック＃１２〜＃１５のＣＱＩ関連情報，周波数ブロック＃１６〜＃２０のＣＱＩ関連情報，周波数ブロック＃２１〜＃２６のＣＱＩ関連情報，周波数ブロック＃２７〜＃３０のＣＱＩ関連情報、を順に送信することにより、６ＴＴＩで全周波数ブロックのＣＱＩを伝送する。このように、チャネル品質送信部２３では、無線回線を介して、上記ＣＱＩ関連情報を含んだ上りＦＤＭＡ信号を基地局１へ送信する。
【００４１】
一方、基地局１では、受信した上りＦＤＭＡ信号を、端末毎に用意されたチャネル品質受信部１２へ供給する。チャネル品質受信部１２では、特定の端末からのＣＱＩ関連情報（オフセット，ＣＱＩ値）を受信し、周波数ブロック毎のＣＱＩへと分解する。そして、分解した周波数ブロック毎のＣＱＩをスケジューラ１３へ供給する。以降、スケジューラ１３およびＯＦＤＭ信号送信部１１が、実施の形態１および２と同様に動作し、各端末への送信データを、周波数ブロック内の所定のデータ位置に割り当てて送信する。
【００４２】
以上のように、本実施の形態では、従来と比較して短時間で全ての周波数ブロックのＣＱＩを送信完了できるように、端末側でＣＱＩを圧縮してＣＱＩ関連情報（オフセット，ＣＱＩ値）として送信することとした。これにより、送信遅延時間によるチャネル品質の変動を小さくできるので、正しいスケジューリングを行うことができ、ひいては下りスループットを向上させることが可能となる。ただし、実施の形態１と比較すると、同一ＣＱＩ数を通知していないので、たとえば、第１回目の送信については同一ＣＱＩ数が１であることを決めておく必要がある。さらに、２回目（３回目以降も）に受信したオフセット値によって間のＣＱＩ値を補間する必要がある。
【００４３】
また、本実施の形態においても、実施の形態１および２と同様に、フォーマットを変更することなく、様々のパターンのＣＱＩ関連情報を伝送することができる。たとえば、図１６は、チャネル品質測定部２１およびチャネル品質情報削減部２２の動作を示す図であり、＃１〜＃３０までの全周波数ブロックのＣＱＩ値が２０である場合を示している。この場合、一回目のＣＱＩ関連情報を｛０，２０｝とし、二回目のＣＱＩ関連情報を｛３０，２０｝とすることにより、チャネル品質送信部２３のフォーマットを変更せずに、全周波数ブロック分のＣＱＩを伝送することができる。この場合、２ＴＴＩ毎に、全周波数ブロックのＣＱＩを伝送することができる。
【００４４】
実施の形態４．
つづいて、実施の形態４のチャネル品質伝送方法について説明する。具体的には、実施の形態４においては、マルチアンテナ伝送に対応したチャネル品質伝送方法について説明する。なお、実施の形態４のチャネル品質伝送方法を実現する基地局および端末の構成は、前述した実施の形態１の図１と同様である。ここでは、実施の形態１〜３と異なる処理について説明する。
【００４５】
図１７は、実施の形態４のチャネル品質測定部２１およびチャネル品質情報削減部２２の処理を示す図である。図１７において、一番上の図は、アンテナ＃１におけるチャネル品質測定動作を示しており、横軸は周波数ブロック、縦軸はＣＱＩを表している。ここでは、周波数ブロック＃１〜＃５まではＣＱＩ値が３０であり、周波数ブロック＃６〜＃１１まではＣＱＩ値が２０であり、周波数ブロック＃１２〜＃１５まではＣＱＩ値が１０であり、周波数ブロック＃１６〜＃２０まではＣＱＩ値が５であり、周波数ブロック＃２１〜＃２６まではＣＱＩ値が１５であり、周波数ブロック＃２７〜＃３０まではＣＱＩ値が２５である。また、図１７において、上から２番目の図は、アンテナ＃２におけるチャネル品質測定動作を示しており、上記同様、横軸が周波数ブロック、縦軸がＣＱＩを表している。なお、各周波数ブロックのＣＱＩ値は、上記アンテナ＃１と同様である。
【００４６】
また、図１７において、上から３番目の図は、アンテナ＃１，＃２におけるチャネル品質測定動作を示しており、横軸は周波数ブロック（ただし、アンテナ＃１，＃２の順でシリアル化）、縦軸はＣＱＩを表している。本実施の形態では、前述した実施の形態１〜４と同様、隣接する周波数ブロックのＣＱＩが同一または似たような値となるという事実に基づいて、チャネル品質情報の数を削減する。また、マルチアンテナ伝送（特にＭＩＭＯ：多入力多出力アンテナ）を用いた伝送では、アンテナ間に相関を持たせるため、パスロスおよび中央値変動に関しては似た特性となることが知られている。したがって、本実施の形態では、さらに、隣接するアンテナ間のＣＱＩが隣接周波数ブロックよりも似た特性となるという事実に基づいて、チャネル品質情報の数を削減する。
【００４７】
たとえば、チャネル品質情報削減部２２では、同一のＣＱＩ値を、オフセットおよび数を用いて情報圧縮する。「オフセット」は周波数ブロック＃１からどれだけ離れているかを表すパラメータであり、アンテナ＃１周波数ブロック＃１では０、アンテナ＃２周波数ブロック＃１では１、以下、アンテナ＃２周波数ブロック＃３０では５９となる。また、「数」はいくつの周波数ブロックが同じ値であるかを表しており、１つなら１、２つなら２、以下、６０周波数ブロックが全て同じならば６０となる。従って、図１７において、最も下の図に示すように、周波数ブロック＃１〜＃５は｛０，１０，３０｝、周波数ブロック＃６〜＃１１は｛１０，１２，２０｝、周波数ブロック＃１２〜＃１５は｛２２，８，１０｝、周波数ブロック＃１６〜＃２０は｛３０，１０，５｝、周波数ブロック＃２１〜＃２６は｛４０，１２，１５｝、周波数ブロック＃２７〜＃３０は｛５２，８，２５｝と表現できる。
【００４８】
つぎに、チャネル品質送信部２３の処理を説明する。図１８は、チャネル品質送信部２３の処理を示す図である。なお、図１に示す上りＦＤＭＡ信号は、前述同様、下りリンクの周波数ブロック幅６００ｋＨｚに対応し、ＴＴＩ（０．５ｍｓ）は３００シンボルとなり、ＱＰＳＫ変調の場合は６００ビットから構成される。また、ＰＩＬＯＴ，ＣＱＩ，Ｄａｔａ（他の制御情報を含む）が個別チャネルで伝送され、たとえば、ＰＩＬＯＴが３０シンボル（６０ビット）、ＣＱＩが９シンボル（１８ビット）、Ｄａｔａ（他の制御情報を含む）が２６１シンボル（５２２ビット）となる。
【００４９】
そして、上記ＣＱＩは、ＣＱＩ関連情報として、ＣＱＩのオフセット（Offset）が６ビット、同一ＣＱＩ数（Number）が６ビット、ＣＱＩ値（Value）が５ビットで構成される。このように構成することにより、たとえば、全周波数ブロックのＣＱＩを、図１９に示すようにわずか６ＴＴＩで伝送することができる。具体的には、最初のＴＴＩで周波数ブロック＃１〜＃５のＣＱＩ関連情報を、次のＴＴＩで周波数ブロック＃６〜＃１１のＣＱＩ関連情報を、以下、周波数ブロック＃１２〜＃１５のＣＱＩ関連情報，周波数ブロック＃１６〜＃２０のＣＱＩ関連情報，周波数ブロック＃２１〜＃２６のＣＱＩ関連情報，周波数ブロック＃２７〜＃３０のＣＱＩ関連情報、を順に送信することにより、６ＴＴＩで全周波数ブロックのＣＱＩを伝送する。このように、チャネル品質送信部２３では、無線回線を介して、上記ＣＱＩ関連情報を含んだ上りＦＤＭＡ信号を基地局１へ送信する。
【００５０】
一方、基地局１では、受信した上りＦＤＭＡ信号を、端末毎に用意されたチャネル品質受信部１２へ供給する。チャネル品質受信部１２では、特定の端末からのＣＱＩ関連情報（オフセット，同一ＣＱＩ数，ＣＱＩ値）を受信し、アンテナ毎に、周波数ブロック単位のＣＱＩへと分解する。そして、分解した周波数ブロック毎のＣＱＩをスケジューラ１３へ供給する。
【００５１】
つぎに、スケジューラ１３では、チャネル品質受信部１２から受け取った各アンテナの周波数ブロック単位のＣＱＩに基づいて、端末間の優先順位、ＱｏＳ（Quality  of  Service）、「UE  Capability」、初送／再送等、の判断基準により、下りのＯＦＤＭ信号の無線リソースを割り当てる。そして、無線リソース割り当て情報がＯＦＤＭ信号送信部１１へ供給され、ＯＦＤＭ信号送信部１１では、受け取った無線リソース割り当て情報に基づいて、アンテナ毎に、各端末への送信データを、周波数ブロック内の所定のデータ位置に割り当てる。以降、各端末にはスケジュールされたデータが伝送されることとなる。
【００５２】
以上のように、本実施の形態では、たとえば、マルチアンテナ伝送を採用する場合であっても、短時間で全ての周波数ブロックのＣＱＩを送信完了できるように、端末側でＣＱＩを圧縮してＣＱＩ関連情報として送信することとした。これにより、送信遅延時間によるチャネル品質の変動を小さくできるので、正しいスケジューリングを行うことができ、ひいては下りスループットを向上させることが可能となる。
【００５３】
また、本実施の形態においても、実施の形態１〜３と同様に、フォーマットを変更することなく、様々のパターンのＣＱＩ関連情報を伝送することができる。たとえば、各アンテナにおける＃１〜＃３０までの全周波数ブロックのＣＱＩ値が２０である場合、ＣＱＩ関連情報を｛０，６０，２０｝とすることにより、チャネル品質送信部２３のフォーマットを変更せずに、全アンテナの全周波数ブロック分のＣＱＩを伝送することができる。
【００５４】
なお、本実施の形態では、アンテナ＃１，＃２を組み合せ、それらを周波数ブロックの順番に並べなおしたが、これに限らず、たとえば、アンテナ＃１における全周波数ブロック、アンテナ＃２における全周波数ブロック、の順に並べなおすこととしてもよい。これは、実施の形態１を拡張することにより実現可能である。
【００５５】
また、本実施の形態では、アンテナ数が２の場合を示したが、これに限らず、アンテナ数が３以上の場合であっても同様に適用可能である。
【００５６】
また、本実施の形態では、ＣＱＩ関連情報として、ＣＱＩのオフセット，同一ＣＱＩ数，ＣＱＩ値を伝送することとしたが、実施の形態２，３に示したように、ＣＱＩのオフセットおよびＣＱＩ値、または、同一ＣＱＩ数およびＣＱＩ値、を伝送することとしてもよい。
【００５７】
実施の形態５．
つづいて、実施の形態５のチャネル品質伝送方法について説明する。具体的には、マルチアンテナ間にレベル差が存在する場合のチャネル品質伝送方法について説明する。なお、実施の形態４のチャネル品質伝送方法を実現する基地局および端末の構成は、前述した実施の形態１の図１と同様である。ここでは、実施の形態１〜４と異なる処理について説明する。
【００５８】
図２０は、実施の形態５のチャネル品質測定部２１およびチャネル品質情報削減部２２の処理を示す図である。図２０において、一番上の図は、アンテナ＃１におけるチャネル品質測定動作を示している。ここでは、周波数ブロック＃１〜＃５まではＣＱＩ値が３０であり、周波数ブロック＃６〜＃１１まではＣＱＩ値が２０であり、周波数ブロック＃１２〜＃１５まではＣＱＩ値が１０であり、周波数ブロック＃１６〜＃２０まではＣＱＩ値が５であり、周波数ブロック＃２１〜＃２６まではＣＱＩ値が１５であり、周波数ブロック＃２７〜＃３０まではＣＱＩ値が２５である。また、図２０において、上から２番目の図は、アンテナ＃２におけるチャネル品質測定動作を示している。ここでは、周波数ブロック＃１〜＃５まではＣＱＩ値が２８であり、周波数ブロック＃６〜＃１１まではＣＱＩ値が１８であり、周波数ブロック＃１２〜＃１５まではＣＱＩ値が８であり、周波数ブロック＃１６〜＃２０まではＣＱＩ値が３であり、周波数ブロック＃２１〜＃２６まではＣＱＩ値が１３であり、周波数ブロック＃２７〜＃３０まではＣＱＩ値が２３である。
【００５９】
また、図２０において、上から３番目の図は、アンテナ＃２のレベル補正（＋２）を行った後の、アンテナ＃１，＃２におけるチャネル品質測定動作を示しており、横軸は周波数ブロック（ただし、アンテナ＃１，＃２の順でシリアル化）、縦軸はＣＱＩを表している。本実施の形態では、前述した実施の形態１〜４と同様、隣接する周波数ブロックのＣＱＩが同一または似たような値となるという事実に基づいて、チャネル品質情報の数を削減する。また、本実施の形態では、さらに、前述した実施の形態４と同様、隣接するアンテナ間のＣＱＩが隣接周波数ブロックよりも似た特性となるという事実に基づいて、チャネル品質情報の数を削減する（図２０、最も下の図参照）。
【００６０】
つぎに、チャネル品質送信部２３の処理を説明する。図２１は、チャネル品質送信部２３の処理を示す図である。なお、図１に示す上りＦＤＭＡ信号は、前述同様、下りリンクの周波数ブロック幅６００ｋＨｚに対応し、ＴＴＩ（０．５ｍｓ）は３００シンボルとなり、ＱＰＳＫ変調の場合は６００ビットから構成される。また、ＰＩＬＯＴ，ＣＱＩ，Ｄａｔａ（他の制御情報を含む）が個別チャネルで伝送され、たとえば、ＰＩＬＯＴが３０シンボル（６０ビット）、ＣＱＩが１２シンボル（２４ビット）、Ｄａｔａ（他の制御情報を含む）が２５８シンボル（５１６ビット）となる。
【００６１】
そして、上記ＣＱＩは、ＣＱＩ関連情報として、アンテナ＃２のレベル補正に関する情報が６ビット、ＣＱＩのオフセット（Offset）が６ビット、同一ＣＱＩ数（Number）が６ビット、ＣＱＩ値（Value）が５ビットで構成される。このように構成することにより、たとえば、全周波数ブロックのＣＱＩを、わずか６ＴＴＩで伝送することができる。具体的には、最初のＴＴＩで周波数ブロック＃１〜＃５のＣＱＩ関連情報｛＋２，０，１０，３０｝を、次のＴＴＩで周波数ブロック＃６〜＃１１のＣＱＩ関連情報｛＋２，１０，１２，２０｝を、以下、周波数ブロック＃１２〜＃１５のＣＱＩ関連情報｛＋２，２２，８，１０｝，周波数ブロック＃１６〜＃２０のＣＱＩ関連情報｛＋２，３０，１０，５｝，周波数ブロック＃２１〜＃２６のＣＱＩ関連情報｛＋２，４０，１２，１５｝，周波数ブロック＃２７〜＃３０のＣＱＩ関連情報｛＋２，５２，８，２５｝、を順に送信することにより、６ＴＴＩで全周波数ブロックのＣＱＩを伝送する。このように、チャネル品質送信部２３では、無線回線を介して、上記ＣＱＩ関連情報を含んだ上りＦＤＭＡ信号を基地局１へ送信する。
【００６２】
以上のように、本実施の形態では、たとえば、マルチアンテナ間にレベル差が存在する場合であっても、短時間で全ての周波数ブロックのＣＱＩを送信完了できるように、端末側でＣＱＩを圧縮してＣＱＩ関連情報として送信することとした。これにより、送信遅延時間によるチャネル品質の変動を小さくできるので、正しいスケジューリングを行うことができ、ひいては下りスループットを向上させることが可能となる。
【００６３】
また、本実施の形態においても、実施の形態１〜４と同様に、フォーマットを変更することなく、様々のパターンのＣＱＩ関連情報を伝送することができる。たとえば、各アンテナにおける＃１〜＃３０までの全周波数ブロックのＣＱＩ値が２０である場合、ＣＱＩ関連情報を｛＋２，０，６０，２０｝とすることにより、チャネル品質送信部２３のフォーマットを変更せずに、全アンテナの全周波数ブロック分のＣＱＩを伝送することができる。
【００６４】
なお、上記実施の形態１〜５においては、さらに、ＣＱＩ関連情報に付随する制御情報を図２２に示すように削減することとしてもよい。たとえば、フレーム（１０ｍｓ）にはフレーム番号（ＦＮ）、ＴＴＩにはＴＴＩ番号（ＴＴＩ−ＦＮ：０〜１９（１フレーム））が与えられていると仮定した場合、ＴＴＩ−ＦＮに、報告すべきＣＱＩの周波数ブロック（たとえば、１〜３０のいずれか）を関連付ける。たとえば、ＴＴＩ−ＦＮ：２０とＣＱＩ数：３０との最小公倍数を周期として関連付けると、２０と３０の最小公倍数は６０となるので、３フレーム周期で、各周波数ブロックを２回にわたって送信することができる。これにより、ＣＱＩに付随する制御情報を削減することができる。
【００６５】
また、前回との差分をＣＱＩとして送信することもできる。この場合、ＣＱＩインデックス（周波数ブロック）の差分Δ（たとえば１ｄＢ）、または、ＣＱＩそのものの差分Δ（たとえば１ｄＢ）、を報告する。差分情報としては、｛＋Δ、−Δ｝を伝送する方法と、｛＋Δ、０、−Δ｝を伝送する方法がある。具体的には、｛＋Δ、−Δ｝は、システムあるいは端末毎に予め定められ、予め基地局，移動局に共通で通知されているΔ（たとえば１ｄＢ）を用いて、移動局から｛＋１、−１｝を伝送すること表している。また、｛＋Δ、０、−Δ｝も、同様に、システムまたは端末毎に予め定められ、予め基地局，移動局に共通で通知されているΔ（たとえば１ｄＢ）を用いて、移動局から｛＋１、０、−１｝を伝送すること表している。上記の場合、｛＋１、−１｝であれば、＋１→０，−１→１に対応させることにより、１ビットで伝送することができる。また、｛＋１、０、−１｝であれば、＋１⇒０、−１⇒１に加え、０⇒ＤＴＸに対応させることにより、１ビットで伝送することができる。すなわち、ターゲットのＣＱＩに収束するまでに時間が掛かるものの、１回あたりのＣＱＩ値が５ビットから１ビットに削減できる。
【産業上の利用可能性】
【００６６】
以上のように、本発明にかかるチャネル品質伝送方法は、マルチキャリア伝送方式を用いたシステムに有用であり、特に、チャネル品質情報を端末から基地局へフィードバックするシステムに適している。
【図面の簡単な説明】
【００６７】
【図１】本発明にかかるチャネル品質伝送方法を実現するための基地局および端末の構成例を示す図である。
【図２】ＯＦＤＭフォーマットを示す図である。
【図３】ＣＱＩテーブルの一例を示す図である。
【図４】実施の形態１のチャネル品質測定部およびチャネル品質情報削減部の処理を示す図である。
【図５】実施の形態１のチャネル品質送信部の処理を示す図である。
【図６】ＣＱＩ関連情報の一例を示す図である。
【図７】実施の形態１のチャネル品質測定部およびチャネル品質情報削減部の処理を示す図である。
【図８】実施の形態１のチャネル品質送信部の処理を示す図である。
【図９】実施の形態２のチャネル品質測定部およびチャネル品質情報削減部の処理を示す図である。
【図１０】実施の形態２のチャネル品質送信部の処理を示す図である。
【図１１】ＣＱＩ関連情報の一例を示す図である。
【図１２】実施の形態２のチャネル品質測定部およびチャネル品質情報削減部の処理を示す図である。
【図１３】実施の形態３のチャネル品質測定部およびチャネル品質情報削減部の処理を示す図である。
【図１４】実施の形態３のチャネル品質送信部の処理を示す図である。
【図１５】ＣＱＩ関連情報の一例を示す図である。
【図１６】実施の形態３のチャネル品質測定部およびチャネル品質情報削減部の処理を示す図である。
【図１７】実施の形態４のチャネル品質測定部およびチャネル品質情報削減部の処理を示す図である。
【図１８】実施の形態４のチャネル品質送信部の処理を示す図である。
【図１９】ＣＱＩ関連情報の一例を示す図である。
【図２０】実施の形態５のチャネル品質測定部およびチャネル品質情報削減部の処理を示す図である。
【図２１】実施の形態５のチャネル品質送信部の処理を示す図である。
【図２２】ＣＱＩ関連情報に付随する制御情報の削減方法を示す図である。
【符号の説明】
【００６８】
１  基地局
２  端末
１１  ＯＦＤＭ信号送信部
１２  チャネル品質受信部
１３  スケジューラ
２１  チャネル品質測定部
２２  チャネル品質情報削減部
２３  チャネル品質送信部
【図１】
2007166118.tif 000003
【図２】
2007166118.tif 000004
【図３】
2007166118.tif 000005
【図４】
2007166118.tif 000006
【図５】
2007166118.tif 000007
【図６】
2007166118.tif 000008
【図７】
2007166118.tif 000009
【図８】
2007166118.tif 000010
【図９】
2007166118.tif 000011
【図１０】
2007166118.tif 000012
【図１１】
2007166118.tif 000013
【図１２】
2007166118.tif 000014
【図１３】
2007166118.tif 000015
【図１４】
2007166118.tif 000016
【図１５】
2007166118.tif 000017
【図１６】
2007166118.tif 000018
【図１７】
2007166118.tif 000019
【図１８】
2007166118.tif 000020
【図１９】
2007166118.tif 000021
【図２０】
2007166118.tif 000022
【図２１】
2007166118.tif 000023
【図２２】
2007166118.tif 000024